【手続補正書】
【提出日】令和2年12月7日(2020.12.7)
【手続補正１】
【補正対象書類名】特許請求の範囲
【補正対象項目名】全文
【補正方法】変更
【補正の内容】
【特許請求の範囲】
【請求項１】
締結具及び骨プレートを整列させるように構成された締結具ガイドであって、前記締結具ガイドが、
基部と、前記基部から第１の方向に延在する突出部と、を含む、プレート整列部分であって、前記基部が、前記第１の方向を向き、前記骨プレートに当接するように構成された、下面を画定し、前記突出部が、前記下面から前記第１の方向にオフセットした場所まで延在する、プレート整列部分と、
整列チャンバを含む締結具整列部分であって、前記整列チャンバが、ハウジングと、前記締結具を受容するように構成された貫通孔と、を含み、前記ハウジングが、チャンバ軸に沿って第１の方向に前記プレート整列部分から延在し、前記整列チャンバが可撓性フィンガを更に含み、前記可撓性フィンガは、前記ハウジングによって支持され、前記チャンバ軸に面する当接面と、前記当接面の反対側にあり、前記可撓性フィンガが非偏向位置にあるときに前記締結具ガイドの最も外側の面である、外面と、を有し、前記可撓性フィンガが、自由遠位端部まで前記第１の方向に延在する、締結具整列部分と、を備え、
前記可撓性フィンガが、前記第１の方向に対して垂直である方向に沿って前記当接面から前記チャンバ軸まで測定される距離を画定し、前記締結具が前記当接面に接触するときに前記距離が増加するように、前記可撓性フィンガが撓むように構成されている、締結具ガイド。
【請求項２】
前記可撓性フィンガが、近位端部と、遠位端部と、を含み、前記近位端部が、前記ハウジングに取り付けられ、前記可撓性フィンガが前記遠位端部で終端するように、前記可撓性フィンガが遠位方向に前記ハウジングから延在する、請求項１に記載の締結具ガイド。
【請求項３】
前記遠位端部が、前記チャンバ軸に関して半径方向に移動可能である自由端部であり、前記遠位端部が、当接面を含み、前記自由端部が、前記下面から、前記第１の方向との反対方向にオフセットした場所で終端する、請求項２に記載の締結具ガイド。
【請求項４】
前記近位端部が、前記チャンバ軸に関して半径方向に測定される第１の半径方向厚さを画定し、前記遠位端部が、前記チャンバ軸に関して半径方向に測定される第２の半径方向厚さを画定し、前記第２の半径方向厚さが、前記第１の半径方向厚さよりも大きい、請求項２又は３に記載の締結具ガイド。
【請求項５】
前記可撓性フィンガが、第１の可撓性フィンガであり、前記当接面が、第１の当接面であり、前記締結具ガイドが、第２の可撓性フィンガを更に含み、前記第２の可撓性フィンガが、第２の当接面を含み、距離が、前記第２の方向に沿って前記第２の当接面から前記チャンバ軸まで画定され、前記締結具が前記第２の当接面に接触するときに前記第２の当接面から前記チャンバ軸までの前記距離が増加するように構成されるように、前記第２の可撓性フィンガが可撓性である、請求項２〜４のいずれか一項に記載の締結具ガイド。
【請求項６】
前記締結具が前記当接面に接触するときに、前記第１の可撓性フィンガ及び前記第２の可撓性フィンガが各々、互いから離れて撓むように構成されるように、前記可撓性フィンガが構成されている、請求項５に記載の締結具ガイド。
【請求項７】
前記突出部が、前記下面に実質的に垂直な内面を含み、前記下面が前記骨プレートに面するように、前記締結具ガイドが前記骨プレートに取り付けられるように構成されている、請求項１〜６のいずれか一項に記載の締結具ガイド。
【請求項８】
前記可撓性フィンガから前記チャンバ軸に向かって半径方向に延在する延在部を更に備え、前記延在部は、前記締結具が前記貫通孔を通って打ち込まれると、前記締結具のシャフトに当接するようにサイズ決定されている、請求項１に記載の締結具ガイド。
【請求項９】
前記プレート整列部分及び前記締結具整列部分が、一体型構造体を画定する、請求項１に記載の締結具ガイド。
【請求項１０】
締結具を骨プレートの締結具開口部と整列させるように構成された締結具ガイドであって、前記締結具ガイドが、
基部と、前記基部から延在する少なくとも１つの突出部と、を含む、プレート整列部分であって、前記基部が、第１の方向を向き、前記骨プレートに当接するように構成された、下面を画定する、プレート整列部分と、
内面を有するハウジングを含む整列チャンバであって、前記内面が、チャンバ軸に沿って前記ハウジングを通って延在し、前記締結具を受容するようにサイズ決定された貫通孔を画定し、前記整列チャンバが、前記ハウジングから前記第１の方向に延在し、前記チャンバ軸に面するそれぞれの当接面を画定する、複数の可撓性フィンガを更に含み、前記可撓性フィンガが、前記第１の方向においてそれぞれの自由端部で終端し、前記プレート整列部分及び前記整列チャンバが、一体型構造体を画定する、整列チャンバと、を備え、
前記可撓性フィンガが、前記ハウジングに関して緩和位置から偏向位置まで弾性的に偏向可能であり、よって、前記可撓性フィンガが前記緩和位置にあるときに、前記当接面が前記ハウジングの前記内面に関して前記チャンバ軸に向かってオフセットされ、前記可撓性フィンガが前記緩和位置から前記偏向位置まで偏向するときに、前記当接面が前記チャンバ軸から離れて移動し、
前記自由端部が、前記下面から前記第１の方向との反対方向にオフセットされている、締結具ガイド。
【請求項１１】
前記一体型構造体が、複数の前記整列チャンバを更に備え、前記複数の整列チャンバの各々の前記貫通孔を前記骨プレートのそれぞれ異なる締結具開口部と整列させるように、前記少なくとも１つの突出部が前記骨プレートに係合するように構成されている、請求項１０に記載の締結具ガイド。
【請求項１２】
表面の欠陥を修復するように構成されたキットであって、前記キットが、
請求項１に記載の締結具ガイドと、
骨プレートであって、第１の表面と、前記第１の表面に対向する第２の表面と、前記第１の表面と前記第２の表面との間に延在し、それによって、前記骨プレートの外周部を画定する側壁と、孔軸に沿って前記第１の表面及び前記第２の表面の両方を通って延在するプレート孔と、前記第１の表面と前記第２の表面との間に延在し、前記プレート孔を画定する内面と、を含む、骨プレートと、
締結具であって、ヘッドと、シャフトと、を含み、前記シャフトが、前記ヘッドから延在し、前記シャフトが、前記プレート孔を通して、前記表面に挿入されて、前記骨プレートを前記表面に固定するように構成されている、締結具と、を備え、
１）前記基部の前記下面が前記骨プレートの前記第１の表面に当接するように、２）前記突出部の前記内面が前記骨プレートの前記側壁に面するように、及び３）前記孔軸が前記チャンバ軸と同一直線上にあるように、前記締結具ガイドが前記骨プレートに取り付けられるように構成されている、キット。
【請求項１３】
１）前記第１の方向における前記骨プレートに対する前記締結具ガイドの移動が、前記基部の前記下面及び前記骨プレートの前記第１の表面の干渉によって阻止されるように、及び２）前記第１の方向に対して垂直な方向における前記締結具ガイドの移動が、前記突出部の前記内面及び前記骨プレートの前記側壁の干渉によって抵抗を受けるように、前記締結具ガイドが前記骨プレートに取り付けられるように構成されている、請求項１２に記載のキット。
【請求項１４】
前記骨プレートの前記第２の表面が、前記表面に面するように構成され、前記第２の表面が、第３の方向に前記第１の表面から離間され、前記骨プレートが、前記第１の表面から前記第２の表面まで前記第３の方向に測定される最大プレート高さを画定し、前記突出部は、前記突出部が前記第１の方向に関して終端する突出部下面を含み、前記突出部が、前記下面及び前記突出部の交差部から前記突出部下面まで前記第１の方向に沿って測定される突出部高さを画定し、前記最大プレート高さが、前記突出部高さよりも大きい、請求項１２又は１３に記載のキット。
【請求項１５】
前記整列チャンバの第１の場所において測定される前記貫通孔の第１の直径が、前記整列チャンバの第２の場所において測定される前記貫通孔の第２の直径よりも大きく、前記第１の場所が、前記反対方向に前記第２の場所から離間されている、請求項１２〜１４のいずれか一項に記載のキット。
【請求項１６】
前記整列チャンバが、前記チャンバ軸に面する第１の当接面を有する第１の可撓性フィンガを含み、前記第２の場所が、前記第１の当接面にあり、前記整列チャンバが、前記チャンバ軸に面する第２の当接面を有する第２の可撓性フィンガを含み、前記第２の直径が、前記第１の当接面から前記第２の当接面まで測定される、請求項１５に記載のキット。
【請求項１７】
前記整列チャンバが、第１の整列チャンバであり、前記貫通孔が、第１の貫通孔であり、前記チャンバ軸が、第１のチャンバ軸であり、前記締結具整列部分が、第２のチャンバ軸に沿って延在し、かつ前記締結具を受容するように構成された第２の貫通孔を含む第２の整列チャンバを含む、請求項１６に記載のキット。
【請求項１８】
前記骨プレートの前記内面が、前記骨プレートの第１の内面であり、前記プレート孔が、第１のプレート孔であり、前記孔軸が、第１の孔軸であり、前記骨プレートが、第２の孔軸に沿って前記第１の表面及び前記第２の表面の両方を通って延在する第２のプレート孔を画定する第２の内面を含み、前記第２の孔軸が前記第２のチャンバ軸と同一直線上にあるように、前記締結具ガイドが前記骨プレートに取り付けられるように構成されている、請求項１７に記載のキット。